(57)【要約】【課題】簡易な構造で容易に部材を製造できると共に、組立作業の容易な組立家屋の引戸構造を提供する。【解決手段】下枠７には、下向きの案内溝１０と下向きの内側ガイド壁１１とが設けられ、外側引戸３は、その下部から内側引戸４の下を潜って案内溝１０に伸びる振止め枠１２と、振止め枠１２に装着される外側引戸ガイド片２０とで振止め規制され、内側引戸４の閉端側は、振止め枠１２に形成されて内側ガイド壁１１に対面する外側ガイド壁１４と、引戸４の下部に設けられて内側ガイド壁１１および外側ガイド壁１４の間に位置する閉端振止め板１６と、閉端振止め板１６の閉端側下部に装着されるガイドランナ２０とで振止め規制され、引戸４の開端側は、その開端側の下部から案内溝１０に伸びる振止め腕板１８と、振止め腕板１８に装着される内側引戸ガイド片２２とで振止め規制されている。【選択図】図１
2009197505.tif 000002
【特許請求の範囲】
【請求項１】
出入口を開閉する引き違い上吊り引戸がその下部側で振止め規制されている組立家屋の引戸構造であって、
出入口の下枠には、下向きに開口した案内溝と、該下枠の室内側端部を該案内溝よりも外側に延長して下向きに折り曲げられた内側ガイド壁とが設けられ、
外側引戸は、その下部から内側引戸の下を潜って前記案内溝まで伸びる振止め枠と、該振止め枠に装着されて前記案内溝に入って該溝内を移行案内される外側引戸ガイド片とで振止め規制され、
内側引戸の閉端側は、前記振止め枠の前記内側引戸を潜る前の部分に形成されて前記内側ガイド壁に所定間隔で対面する外側ガイド壁と、前記内側引戸の下部に沿って設けられて前記内側ガイド壁および前記外側ガイド壁の間に位置する閉端振止め板と、該閉端振止め板の閉端側の下部に装着されて前記内側ガイド壁および前記外側ガイド壁の間で移行案内されるガイドランナとで振止め規制され、
内側引戸の開端側は、その開端側の下部から前記案内溝まで伸びる振止め腕板と、該振止め腕板に装着されて前記案内溝に入って該溝内を移行案内される内側引戸ガイド片とで振止め規制されていることを特徴とする組立家屋の引戸構造。
【請求項２】
前記閉端振止め板には、前記ガイドランナの装着部分の開端側から前記振止め腕板までの下縁に室内向きに折り曲げ形成されたカバー部が設けられ、該カバー部が、前記内側ガイド壁よりも下方に位置していることを特徴とする請求項１に記載の組立家屋の引戸構造。
【請求項３】
前記外側引戸ガイド片、前記内側引戸ガイド片、および前記ガイドランナが同じ形状に同じ材質で樹脂成形されて形成されていることを特徴とする請求項１または２に記載の組立家屋の引戸構造。
【発明の詳細な説明】
【技術分野】
【０００１】
本発明は、出入口を開閉する上吊引戸がその下部側で振止案内されている組立家屋の引戸構造に関するものである。
【背景技術】
【０００２】
物置に代表される組立家屋の引戸は、多くのものが上レールに吊り下げ支持され、その下部で内外方向に振れるのが規制されている。
【０００３】
例えば特許文献１には、上枠に吊り下げ支持された２枚の戸パネルが下側で振止めされる組立家屋用の引戸構造が示されている。この引戸構造では、前側の戸パネルは、その下部に装着された振止枠が後側の戸パネルを潜って出入口の下側に設けられた下向き開口する下レールにランナを介して入って振止め規制されている。ランナは逆Ｕ字状のプラスチック材成形品で形成されている。後側の戸パネルの一端は、その下端に設けられた振止め溝が振止め枠を突設させてレール状に設けられた振止め突条に係合して振止め規制されている。振止め溝は、後側の戸パネルの下端に矩形ブロック状のプラスチック製成形品が取り付けられることで設けられている。後側の戸パネルの他端は、その下端側に装着された規制体が下レールに結合して振止め規制されている。規制体は、上向きに開口するコ字状のプレス金具とプラスチック製のスライド片で構成されている。
【０００４】
【特許文献１】特許第３９３０８８３号公報
【発明の開示】
【発明が解決しようとする課題】
【０００５】
特許文献１に示された引戸構造では、下レールが下向きに開口しているため、塵埃や土などが堆積せず、戸パネルの開閉が阻害されない。また、戸パネルより下の空間が狭いため、金属パイプ等でこじ開けられにくく防犯性に優れている。
【０００６】
しかしながら、振止め枠には、その途中に細いレール状の振止め突条を設ける必要があるため複雑な構造になり、加工しにくいという問題がある。また、組み立てる際に、振止め突状を細い振止め溝に嵌め込むので組み立てしにくい。また、規制体の組付け方法も煩雑である。
【０００７】
本発明は、前記の課題を解決するためになされたもので、簡易な構造で容易に部材を製造できると共に、組立作業の容易な組立家屋の引戸構造を提供することを目的とする。
【課題を解決するための手段】
【０００８】
前記の目的を達成するためになされた特許請求の範囲の請求項１に記載の組立家屋の引戸構造は、出入口を開閉する引き違い上吊り引戸がその下部側で振止め規制されている組立家屋の引戸構造であって、出入口の下枠には、下向きに開口した案内溝と、該下枠の室内側端部を該案内溝よりも外側に延長して下向きに折り曲げられた内側ガイド壁とが設けられ、外側引戸は、その下部から内側引戸の下を潜って前記案内溝まで伸びる振止め枠と、該振止め枠に装着されて前記案内溝に入って該溝内を移行案内される外側引戸ガイド片とで振止め規制され、内側引戸の閉端側は、前記振止め枠の前記内側引戸を潜る前の部分に形成されて前記内側ガイド壁に所定間隔で対面する外側ガイド壁と、前記内側引戸の下部に沿って設けられて前記内側ガイド壁および前記外側ガイド壁の間に位置する閉端振止め板と、該閉端振止め板の閉端側の下部に装着されて前記内側ガイド壁および前記外側ガイド壁の間で移行案内されるガイドランナとで振止め規制され、内側引戸の開端側は、その開端側の下部から前記案内溝まで伸びる振止め腕板と、該振止め腕板に装着されて前記案内溝に入って該溝内を移行案内される内側引戸ガイド片とで振止め規制されていることを特徴とする。
【０００９】
この場合、内側引戸の閉端とは、内側引戸の一端であって、内側引戸を閉じる際に進行方向になる内側引戸の端をいう。また、内側引戸の開端とは、内側引戸の他端であって、内側引戸を開く際に進行方向になる内側引戸の端をいう。
【００１０】
請求項２に記載の組立家屋の引戸構造は、請求項１に記載されたもので、
前記閉端振止め板には、前記ガイドランナの装着部分の開端側から前記振止め腕板までの下縁に室内向きに折り曲げ形成されたカバー部が設けられ、該カバー部が、前記内側ガイド壁よりも下方に位置していることを特徴とする。
【００１１】
請求項３に記載の組立家屋の引戸構造は、請求項１または２に記載されたもので、前記外側引戸ガイド片、前記内側引戸ガイド片、および前記ガイドランナが同じ形状に同じ材質で樹脂成形されて形成されていることを特徴とする。
【発明の効果】
【００１２】
請求項１に記載の組立家屋の引戸構造では、出入口の下枠の内側ガイド壁と外側引戸の振止め枠の外側ガイド壁との間で、内側引戸の閉端振止め板に装着されたガイドランナが移行案内されて内側引戸の閉端側が振止め規制されている。また、内側引戸の開端側の下部から案内溝まで伸びる振止め腕板に装着された内側引戸ガイド片が案内溝で移行案内されて内側引戸の開端側が振止め規制されている。これによれば、例えば振止め枠の途中を細いレール状のように複雑に折り曲げ加工する必要が無く、簡易な構造であるため、一般的な折り曲げ加工で形成でき、部材を容易に製造することができる。また、内側引戸を細い溝などに嵌め込む必要が無く、組立作業を容易に行うことができる。
【００１３】
請求項２に記載の組立家屋の引戸構造によれば、閉端振止め板にはガイドランナの装着部分の内側から振止め腕板までの下縁を室内向きに折り曲げ形成したカバー部が設けられ、このカバー部が内側ガイド壁よりも下方に位置していることにより、下枠の前面が覆われるため、組立家屋の室内への砂、塵埃、雨等の侵入を防止することができる。また、閉端振止め板の下縁が折り曲げ形成されているため、強度を向上させることができる。
【００１４】
請求項３に記載の組立家屋の引戸構造によれば、外側引戸ガイド片、内側引戸ガイド片、およびガイドランナが同じ形状に同じ材質で樹脂成形されて形成されていることで、部品を共通化でき、コストを削減することができる。
【発明を実施するための好ましい形態】
【００１５】
本発明の組立家屋の引戸構造を実施するための好ましい形態を詳細に説明するが、本発明の範囲はこれらの形態に限定されるものではない。
【００１６】
図２には、本発明の組立家屋の引戸構造を適用する物置１の斜視図が示されている。図２に示されるように、物置１は、その出入口２を、鋼板製のパネルで形成された外側引戸３および内側引戸４で片開きに引き違い開閉される。出入口２を開閉する際に、外側引戸３（以下、単に引戸３ともいう）の取っ手を引いて横開きに開閉移動させることで、内側引戸４（以下、単に引戸４ともいう）は外側引戸３に同行されて連動移動する。出入口２が全開放された状態では、引戸３，４は、ほぼ重なり合って前壁５の前面に収納される。
【００１７】
この引戸３，４は、出入口２の上枠６に設けられた上レール５０に吊り下げ支持される上吊り引戸であって、上レール５０に沿って移動する。また、引戸３，４は、その下部側が内外方向に振れないように下枠７で振止め規制されつつ、下枠７に沿って移行案内される。
【００１８】
図３には、上枠６の一部断面図が示されている。図３に示されるように、外側引戸３の上部に取り付けられた戸車５１と、内側引戸４の上部に取り付けられた戸車５２とが、断面略Ｕ字状の上レール５０に吊り掛けられることにより、引戸３，４が開閉自在に案内支持されている。外側引戸３には、その上部両端部にポリアセタール製の一対の小径な戸車５１が取り付けられ、内側引戸４には、その上部両端部にポリアセタール製の一対の大径な戸車５２が取り付けられている。上レール５０には、戸車５１と戸車５２とが互い違いになるように引戸３，４が吊り掛けられる。戸車５１，５２は、引戸３，４が開閉移動しても互いが干渉しない位置に取り付けられている。
【００１９】
外側引戸３には、鋼板で曲げ加工された断面略逆Ｌ字状の連動板５３が、上レール５０を覆うように引戸３の上端縁に沿って設けられている。この連動板５３は、図３に示されるように、戸車５２の上部に面で当接し、その弾性によって若干撓んだ状態になっている。
【００２０】
図１には、引戸３，４および下枠７の一部拡大斜視図、および下枠７の一部断面図が示されている。この下枠７の一部断面図は、図２のＡ−Ａ断面図である。
【００２１】
図１に示される出入口２の下枠７は、鋼板によって曲げ加工されて形成されている。この下枠７には、下向きに開口した案内溝１０が設けられている。また、下枠７には、その室内側端部、つまり下枠７の上面側の端部を案内溝１０よりも外側に延長して、さらに下向きに折り曲げられた内側ガイド壁１１が設けられている。内側ガイド壁１１は、案内溝１０の側壁高さよりも若干短く形成されている。
【００２２】
外側引戸３には、その下部に内側引戸４の下を潜って案内溝１０まで伸びる鋼板製の振止め枠１２が設けられている。振止め枠１２は、外側引戸３の左右両端の枠部分を除く左右幅で設けられている。この振止め枠１２には、内側引戸４の下を潜る前の部分に、内側ガイド壁１１の下端よりも高い位置で外側引戸３から内側引戸４に向かって水平に伸びた先に、内側ガイド壁１１に所定間隔で対面する下向きに曲げられた外側ガイド壁１４が形成されている。この所定間隔は、後述する閉端振止め板１６に装着されたガイドランナ２１が内側ガイド壁１１と外側ガイド壁１４との間で振止めされると共に移行案内されるように、ガイドランナ２１の幅よりも広く、かつ、引戸３，４が内外方向に振れた際に、ガイドランナ２１が内側ガイド壁１１または外側ガイド壁１４に当たる間隔に規定されている。
【００２３】
また、振止め枠１２には、外側ガイド壁１４の下部で水平方向に折れ曲がって内側引戸４の閉端振止め板１６の下を潜った先に、案内溝１０に向かって略垂直に立ち上がり、案内溝１０の内側中程まで伸びる縦壁１５が形成されている。この縦壁１５の上部の両端部には、例えば、ポリアセタールなどの滑性の良い樹脂で成形された断面略Ｊ字状の一対の外側引戸ガイド片２０が嵌込固定されて装着されている。外側引戸ガイド片２０は、案内溝１０内を溝方向に移動可能なように溝幅よりも小さく形成されている。また、外側引戸ガイド片２０は、外側引戸３が内外方向に振れた際に、案内溝１０の側壁に当たる位置に装着されている。
【００２４】
振止め板１２は、一般的な折り曲げ加工で製造できる簡易な構造であるので、容易に製造することができる。振止め板１２は、案内溝１０を殆ど覆っているため、金属パイプ等を下方から差し込んでもこじ開けにくく、防犯性に優れている。
【００２５】
内側引戸４には、その下部の前面縁に沿って設けられた、内側引戸４の前面と面をほぼ同一にする板体状に形成された鋼板製の閉端振止め板１６が設けられている。閉端振止め板１６は、内側引戸４の左右幅とほぼ同一に形成され、下枠７の内側ガイド壁１１および振止め枠１２の外側ガイド壁１４の対面する位置まで垂直に下方に伸びている。この閉端振止め板１６は、閉端側、つまり閉じる際に進行方向になる内側引戸４の一端側から、内側引戸４の閉端の枠４０と同程度の細い幅だけ平坦な板状に形成され、この平坦な閉端部側の下部には、滑性の良い樹脂で成形された断面略Ｊ字状のガイドランナ２１が嵌込固定されて装着されている。このガイドランナ２１は、外側引戸ガイド片２０と同じ材質、同じ形状の部材である。ガイドランナ２１は、内側ガイド壁１１と外側ガイド壁１４との間に位置している。
【００２６】
また、この閉端振止め板１６は、ガイドランナ２１の装着部分の開端側から、後述する振止め腕板１８までの下縁に室内向きに略水平に折り曲げ形成されたカバー部２３が設けられ、このカバー部２３が内側ガイド壁１１よりも下方に位置するように設けられている。このカバー部２３は、振止め板１２よりも上方で、案内溝１０の側壁端と同程度の高さに位置するように設けられる。このように、閉端振止め板１６は、一般的な折り曲げ加工で製造できる簡易な構造であるので、容易に製造することができる。また、閉端振止め板１６のカバー部２３が内側ガイド壁１１よりも下方に位置しているため、内側引戸４の前面が下枠７の前面を覆うため、物置１の室内に砂、塵埃、雨等の侵入を防止することができる。また、閉端振止め板１６の下縁がＬ字状に折り曲げ形成されることで内側引戸４の強度を向上させることができる。また、カバー部２３が、内側ガイド壁１１を下方から覆っているため、金属パイプ等でこじ開けにくくなり、防犯性に優れている。
【００２７】
内側引戸４には、その開端側、つまり開く際に進行方向となる内側引戸４の他端側の下部から、案内溝１０まで伸びる振止め腕板１８が設けられている。詳述すると、この振止め腕板１８は、閉端振止め板１６の内壁に沿って下方に伸びた先で下枠７の方向に水平に曲がり、さらにその先に略垂直に立ち上がる縦壁１９を有して、この縦壁１９が案内溝１０の内側中程まで伸びた、全体として断面略コ字状の形状に形成されている。この振止め腕板１８は、例えば内側引戸４の開端の枠４０と同程度の細い左右幅で形成されている。このように、振止め腕板１８は、一般的な折り曲げ加工で製造できる簡易な構造であるので、容易に製造することができる。
【００２８】
振止め腕板１８の縦壁１９の上部には、滑性の良い樹脂で成形された断面略Ｊ字状の内側引戸ガイド片２２が嵌込固定されて装着されている。この内側引戸ガイド片２２は、案内溝１０内を溝方向に移動可能であり、かつ、内側引戸４が内外方向に振れた際に、案内溝１０の側壁に当たる位置に装着されている。
【００２９】
内側引戸ガイド片２２は、外側引戸ガイド片２０と同じ材質、同じ形状の部材である。このように外側引戸ガイド片２０、ガイドランナ２１、および内側引戸ガイド片２２を同じ部材とすることで、部品を共通化できコストを削減することができる。
【００３０】
次に、引戸３，４を出入口２の上枠６および下枠７に取り付ける作業方法を図１から図３を参照しつつ説明する。
【００３１】
先ず内側引戸４を持ち上げて、振止め腕板１８の縦壁１９を下枠７の下奥まで入れて、内側引戸ガイド片２２を案内溝１０に嵌め込んでから、上レール６に戸車５２を吊り掛ける。次に、外側引戸３を持ち上げて、振止め枠１２の縦壁１５を下枠７の下奥まで入れて、外側引戸ガイド片２０を案内溝１０に嵌め込んでから、上レール５０に戸車５１を吊り掛ける。これにより、内側引戸４の閉端振止め板１６およびガイドランナ２１は、なんら意識することなく、下枠７の内側ガイド壁１１および振止め枠１２の外側ガイド壁１４の間に位置することになるため、容易に組み立てることができる。
【００３２】
次に、引戸３，４の開閉動作について説明する。
【００３３】
引戸３，４を全閉状態から全開放状態まで開く際には、先ず、取っ手を開方向に引かれて外側引戸３が開移動し始める。外側引戸３は、一対の戸車５１が上レール５０上を移行案内されると共に、一対の外側引戸ガイド片２０が案内溝１０によって内外方向に振止め規制されつつ移行案内されてスムーズに移動する。また、外側引戸３の移動により、連動板５３が内側引戸４の戸車５２を回動させることで、内側引戸４も外側引戸３に連動して開移動する。戸車５２の移動距離は、連動板５３の移動距離の１／２になるため、内側引戸４は、外側引戸３の移動距離の１／２だけ開移動する。
【００３４】
外側引戸３に同行されて連動移動する内側引戸４は、一対の戸車５２が上レール５０上を移行案内されることで、スムーズに開移動する。また、内側引戸４の閉端側の下部は、ガイドランナ２１が内側ガイド壁１１と外側ガイド壁１４との間で内外方向に振止め規制されつつ移行案内されてスムーズに開移行する。内側引戸４の開端側の下部は、内側引戸ガイド片２２が案内溝１０によって内外方向に振止め規制されつつ移行案内されてスムーズに移動する。引戸３，４はそのまま開移動して、出入口２が全開放状態になる。
【００３５】
引戸３，４を全開放状態から全閉状態まで閉作動する際には、取っ手を閉方向に引かれて外側引戸３が閉移動し始め、連動板５２が内側引戸４の戸車５２を回動させて、内側引戸４も連動して閉移動する。引戸３，４はそのまま閉移動して、外側引戸３が出入口２の縦枠まで到達し、出入口２が全閉状態になる。この際にも、開移動の場合と同様に、引戸３，４は振止め規制されつつ移行案内されてスムーズに閉移動する。
【００３６】
図４には、本発明の組立家屋の引戸構造を適用する別の実施形態である両開き引戸の物置１Ａが示されている。なお、すでに説明した構成は同一の符号を付して説明を省略する。
【００３７】
図４に示されるように、物置１Ａでは、すでに説明した外側引戸３および内側引戸４が出入口２Ａの右半分側（図に向かって右半分側）に取り付けられ、外側引戸３を左右対称形に形成した外側引戸３Ａ、および、内側引戸４を左右対称形に形成した内側引戸４Ａが出入口２Ａの左半分側（図に向かって左半分側）に取り付けられている。外側引戸３，３Ａの各々の閉端同士が出入口２Ａの中央部で当接して、出入口２Ａが閉じられている。出入口２Ａが全開放された際には、引戸３，４は前壁５の前面に収納され、引戸３Ａ，４Ａは前壁５Ａの前面に収納される。
【００３８】
すでに説明した物置１の上レール５０が、この物置１Ａでは上枠の左端まで延長されて設けられ、この１本の上レールに引戸３，４，３Ａ，４Ａが吊り下げ支持される。また、すでに説明した物置１の案内溝１０や内側ガイド壁１１が、この物置１Ａでは、下枠の左端まで延長されて設けられ、この共通する案内溝や内側ガイド壁によって引戸３，４，３Ａ，４Ａが、物置１と同様に振止め規制されると共に移行案内される。
【００３９】
このように、物置１，１Ａに本発明の組立家屋の引戸構造を適用することで、簡易な振止め構造とすることができるため、一般的な折り曲げ加工で部材を形成できるため、容易に部材を製造することができる。また、内側引戸を細い溝などに嵌め込む必要が無く、組立作業を容易に行うことができる。
【００４０】
また、案内溝１０が下向きに開口し、内側ガイド壁１１も下向きに設けられているため、塵埃や、土、雪などが堆積せず、戸パネルの開閉が阻害されない。下枠７の室内側には、溝やレールが無いため、人が躓くことが防止され、掃き出し掃除を容易に行うことができる。また、重量物を収納する際に、案内溝１０や内側ガイド壁１１が押し潰されて破損しない。さらに、振止め枠１２が案内溝１０を殆ど覆い、閉端振止め板１６のカバー部２３が内側ガイド壁１１を覆っているため、金属パイプ等を差し込みにくく、こじ開けにくいため、防犯性に優れている。
【００４１】
また、外側引戸ガイド片２０、ガイドランナ２１、および内側引戸ガイド片２２は、引戸３，４を組み付ける前に、予め装着されているので、引戸３，４の組付け作業が容易である。
【００４２】
なお、上記した説明では、外側引戸ガイド片２０、ガイドランナ２１、および内側引戸ガイド片２２を断面略Ｊ字状の形状とした例について説明したが、断面Ｕ字状の形状や、球体に切れ込みを入れた形状など様々な形状とすることもできる。また、外側引戸ガイド片２０、ガイドランナ２１、および内側引戸ガイド片２２を同じ部材する例について説明したが、各々を別々の形状や素材で形成することもできる。この場合、部品の共通化はできないが、簡易な形状であるため安価なものにできる。
【００４３】
また、１本の上レール５０に外側引戸３（３Ａ）および内側引戸４（４Ａ）を吊り下げ支持した例について説明したが、並列する２つの上レールを設けて外側引戸３と内側引戸４とを各々別の上レールに吊り下げ支持する構成とすることもできる。
【図面の簡単な説明】
【００４４】
【図１】本発明を適用する物置の引戸および下枠の一部拡大斜視図および一部断面図である。
【図２】本発明を適用する物置の斜視図である。
【図３】物置の上枠の一部断面図である。
【図４】本発明を適用する別の実施形態である物置の斜視図である。
【符号の説明】
【００４５】
１，１Ａは物置、２，２Ａは出入口、３，３Ａは外側引戸、４，４Ａは内側引戸、５，５Ａは前壁、６は上枠、７は下枠、１０は案内溝、１１は内側ガイド壁、１２は振止め枠、１４は外側ガイド壁、１５，１９は縦壁、１６は閉端振止め板、１８は振止め腕板、２０は外側引戸ガイド片、２２は内側引戸ガイド片、２１はガイドランナ、２３はカバー部、４０は枠、５０は上レール、５１，５２は戸車、５３は連動板である。
【図１】
2009197505.tif 000003
【図２】
2009197505.tif 000004
【図３】
2009197505.tif 000005
【図４】
2009197505.tif 000006